(57)【要約】【課題】梱包箱の側面方向からの衝撃に強い梱包構造を提供する。【解決手段】厚紙からなる直方体形状の梱包箱と、梱包箱の角隅部と被梱包物との間に設けられる緩衝部材と、を備える梱包構造において、梱包箱は、矩形型の底面部と、底面部の長辺部から連設された互いに対向する一対の長辺側壁部と、底面部の短辺部から連接された互いに対向する一対の短辺側壁部と、長辺側壁部から連設された一対の外フラップと、短辺側壁部から連設された一対の内フラップと、を備え、内フラップは、短辺側壁部との境界辺と対向する先端辺から境界辺に向かって切り込みが設けられていて、且つ、切り込みから内フラップの側端辺を含む部分が、緩衝部材によって設けられる、被梱包物と長辺側壁部との隙間に折り曲げ可能にする。【選択図】図１
2008213887.tif 000002
【特許請求の範囲】
【請求項１】
厚紙からなる直方体形状の梱包箱と、
前記梱包箱の角隅部と被梱包物との間に設けられる緩衝部材と、
を備える梱包構造において、
前記梱包箱は、
矩形型の底面部と、
前記底面部の長辺部から連設された互いに対向する一対の長辺側壁部と、
前記底面部の短辺部から連接された互いに対向する一対の短辺側壁部と、
前記長辺側壁部から連設された一対の外フラップと、
前記短辺側壁部から連設された一対の内フラップと、
を備え、
前記内フラップは、前記短辺側壁部との境界辺と対向する先端辺から前記境界辺に向かって切り込みが設けられていて、且つ、前記切り込みから前記内フラップの側端辺を含む部分が、前記緩衝部材によって設けられる、前記被梱包物と前記長辺側壁部との隙間に折り曲げ可能であり、且つ、この折り曲げの折り目は、前記側端辺に対し垂直であることを特徴とする梱包構造。
【請求項２】
厚紙からなる直方体形状の梱包箱と、
前記梱包箱の角隅部と被梱包物との間に設けられる緩衝部材と、
を備える梱包構造において、
前記梱包箱は、
矩形型の底面部と、
前記底面部の長辺部から連設された互いに対向する一対の長辺側壁部と、
前記底面部の短辺部から連接された互いに対向する一対の短辺側壁部と、
前記長辺側壁部から連設された一対の外フラップと、
前記短辺側壁部から連設された一対の内フラップと、
を備え、
前記内フラップは、前記短辺側壁部との境界辺と対向する先端辺から前記境界辺に向かって切り込みが設けられていて、且つ、前記切り込みから前記内フラップの側端辺を含む部分が、前記緩衝部材によって設けられる、前記被梱包物と前記長辺側壁部との隙間に折り曲げ可能であることを特徴とする梱包構造。
【請求項３】
前記折り曲げの折り目は、前記側端辺に対し垂直であることを特徴とする請求項２に記載の梱包構造。
【発明の詳細な説明】
【技術分野】
【０００１】
本発明は、梱包構造に関し、特に、厚紙からなる直方体形状の梱包箱と、この梱包箱の角隅部に設けられた緩衝部材とを有する梱包構造に関する。
【背景技術】
【０００２】
テレビやＤＶＤプレーヤーなどの中型の電化製品から冷蔵庫などの大型の家電製品など、比較的重量が重く精密機械類などを内蔵した製品は衝撃に弱く、落下や衝突などによって破損したり傷がついたりする可能性が高い。これは製品が重く、またこの製品の筐体が硬いために衝撃を吸収できないことが主な原因である。特に新品の製品では、破損はもとより、小さな傷一つでも商品価値が格段にさがり、結果的に無駄なコストや資源を費やすことになる。
【０００３】
そこで、搬送時の製品は、ダンボールなどの厚紙からなる梱包箱で梱包し、製品に傷や打痕などがつかないように保護されている。またさらに、搬送時に受ける衝撃に備えて、製品の角部などに発泡スチロールなどからなる緩衝部材を被梱包物と梱包箱との間に挟むといった対策を施している。
【０００４】
このような緩衝部材を用いた梱包構造の断面図を図７に示す。このような梱包構造によると、例えば梱包箱１０２の側面部１０１に衝撃が加わった場合でも、梱包箱１０２と被梱包物１０７との間に、緩衝部材１０３によって設けられた隙間１０４が存在するため、側面部１０１に対向する製品の一側面１０６に傷はつきにくい。（例えば、特許文献１参照）
【特許文献１】特開２００６−１５１４７１号公報（第７図）
【発明の開示】
【発明が解決しようとする課題】
【０００５】
しかしながら、側面部１０１の面積が長手方向に大きい場合などは、この側面部１０１に接する緩衝部材１０３と緩衝部材１０５との距離が長いため、側面部１０１と被梱包物１０７の一側面１０６との間に隙間１０４が開いている領域が広くなる。したがって、この領域に対して衝撃を与える物体が比較的小さくて硬い物であった場合などは、梱包材の剛性が耐えられずに、梱包材（側面部１０１）を折り曲げて被梱包物１０７の一側面１０６まで衝撃が伝わるという問題がある。
【０００６】
そこで本発明は、上記の問題に鑑みてなされたものであり、梱包箱の側面方向からの衝撃に強い梱包構造を提供することをその目的とするものである。また本発明の目的は、新たな部材を設けずに衝撃対策を施した梱包構造を提供することにある。
【課題を解決するための手段】
【０００７】
上記目的を達成するため、本発明による梱包構造は、厚紙からなる直方体形状の梱包箱と、梱包箱の角隅部と被梱包物との間に設けられる緩衝部材と、を備える梱包構造において、梱包箱は、矩形型の底面部と、この底面部の長辺部から連設された互いに対向する一対の長辺側壁部と、底面部の短辺部から連接された互いに対向する一対の短辺側壁部と、長辺側壁部から連設された一対の外フラップと、短辺側壁部から連設された一対の内フラップと、を備え、この内フラップは、短辺側壁部との境界辺と対向する先端辺から境界辺に向かって切り込みが設けられていて、且つ、切り込みから内フラップの側端辺を含む部分が、緩衝部材によって設けられる、被梱包物と長辺側壁部との隙間に折り曲げ可能である。
【０００８】
このような構成によると、新たな部材を設けずに側面方向からの衝撃に強い梱包構造を提供することが可能になる。また、被梱包物の本体品と付属品とを一つの梱包箱に収める場合には、上記隙間に付属品を納め、この付属品を衝撃から守ることが可能になる。
【０００９】
またさらに、本発明による梱包構造は、上記折り曲げの折り目は、内フラップの側端辺に対し垂直であることが望ましい。
【００１０】
このような構成によると、内フラップの剛性を最も効果的に利用することが可能になり、側面方向からの衝撃吸収度を高めることが可能になる。
【発明の効果】
【００１１】
本発明の梱包構造によれば、新たな部材を設けずに側面方向からの衝撃に強い梱包構造を提供することが可能になる。また、被梱包物の本体品と付属品とを一つの梱包箱に収める場合には、上記隙間に付属品を納め、この付属品を衝撃から守ることが可能になる。
【発明を実施するための最良の形態】
【００１２】
以下に、本発明の実施形態について図面を参照しながら詳述する。先ず、本発明の第１実施形態である梱包構造について説明する。図１（ａ）および図１（ｂ）は本実施形態における梱包箱を示す斜視透過図である。図２は、本実施形態における梱包箱の展開図である。図３は本実施形態における被梱包物と緩衝部材との外観を示す斜視図である。図４は本実施形態における主要部の上面視透過図である。図５は図４におけるＡ方向からの側面透過図である。図６は図４におけるＢ方向からの側面透過図である。なお、図中で図１と同じ名称で同じ機能を果たす部分には同一の符号を付し、重複する説明は省略する。また、面が３つ交わって形成される部分を角隅部と記述し、面が２つ交わって形成される部分を隅部と記述する。
【００１３】
本実施形態の梱包構造は、図１（ａ）および図１（ｂ）に示すような、直方体形状のダンボールからなる梱包箱１を有する。ただし、図１（ａ）は梱包箱１の外フラップ２，３および内フラップ４，５が展開した状態を示し、図１（ｂ）は外フラップ２，３のみを展開した状態を示す。梱包箱１は、矩形型の底面部４と、この底面部４の長辺部６，７から連設された互いに対向する一対の長辺側壁部８，９と、底面部４の短辺部１０，１１から連接された互いに対向する一対の短辺側壁部１３，１２と、長辺側壁部８，９から連設された一対の外フラップ３，２と、短辺側壁部１２，１３から連設された一対の内フラップ５，４とを備えている。
【００１４】
また、長辺側壁部８，９、短辺側壁部１２，１３、内フラップ４，５、及び、外フラップ２，３はそれぞれ矩形型である。
【００１５】
図１に示した梱包箱１の展開図を図２に示す。この展開図に付してあるａ〜ｎおよびａａ〜ｊｊのアルファベットは、各アルファベットに隣接する辺に対する符号であり、また、辺ａと辺ａａや辺ｂと辺ｂｂなどの同じアルファベットによって示された辺は、組み立て時に互いに接し合う辺同士を示している。また、切り込み線は実線で示し、折り曲げ線は点線で示している。
【００１６】
また、辺ａａの長さと辺ｂｂの長さは同じ長さ（すなわち辺ａｂの１／２）であるとともに、辺ａの長さとも同じ長さである。このようにすると、組み立て時に辺ｃと辺ｃｃとが辺ａｂの垂直二等分線上で接することになる。したがって、辺ｃと辺ｃｃとを接した状態でこの二つの辺ｃ，ｃｃを跨いでガムテープなどで固定して底面部４が形成される。
【００１７】
組み立ては、先ず、長辺側壁部８、長辺側壁部９、短辺側壁部１２、および、短辺側壁部１３とが互いに隣接する面に対し垂直になるように折り曲げられ、且つ、長辺側壁部８と長辺側壁部９、および、短辺側壁部１２と短辺側壁部１３とが互いに対向するように折り曲げられる。そして、辺ｆと辺ｆｆとが長辺側壁部８と短辺側壁部１３とが垂直に交わる状態で互いに接する。この二つの辺ｆと辺ｆｆは上述の辺ｃと辺ｃｃのように固定しても良いが、さらに、長辺側壁部８の外方に糊代部分（図示しない）を設けて、この糊代部分と短辺側壁部１３とを重ねて接着剤などで固定しても良い。
【００１８】
次に、面１４，１５が内側に折り曲げられる。すなわち、底面部４を形成する面１６，１７より内側に位置した状態で組み立てられる。そして、面１６，１７が折り曲げられ、上述のように辺ｃと辺ｃｃとが接した状態で互いをガムテープなどで貼り合わせて固定する。
【００１９】
次に、内フラップ４，５は、被梱包物１８がこの梱包箱１に収納された後に内側に折り曲げられる。そして、内フラップ４，５には切り込み１９，２０，２１，２２が設けられている（以下、切り込み１９についてのみ記述する）。この切り込み１９は、内フラップの先端辺である辺ｋから垂直に設けられている。切り込み１９の始点２３の位置などは後に詳述する。折り曲げ部２６は、内フラップ４の側端辺である辺ｍから切り込み１９の終点２４に向かう垂線を折り目２５として内側に折り曲げられる。この折り曲げ角度は内フラップ４に対して垂直であることが望ましい。
【００２０】
最後に、外フラップ２，３は、内フラップ４，５が折り曲げられた後に内側に折り曲げられ、辺ｎと辺ｎｎとが接し合い、この接した部分を跨いでガムテープなどで貼り合わせる。
【００２１】
次に緩衝部材３１について説明する。緩衝部材３１は、主に被梱包物の角隅部を覆うように形作られていて、梱包箱１と被梱包物１８との間に配設される。また、緩衝部材３１の被梱包物１８の角隅部に接する側は、この角隅部が嵌合する形で形成されていることが望ましい。またさらに、緩衝部材３１の梱包箱１の角隅部に接する側は、この角隅部に嵌まり合う形で形成されていることが望ましい。
【００２２】
このような形状の緩衝部材３１は、被梱包物１８および梱包箱１に当接する面積が比較的大きくなるため、衝撃を分散する割合が高くなり、効果的に衝撃を防ぐことが可能になる。また、この緩衝部材３１の厚さと同じ厚さの隙間３２が被梱包物１８と梱包箱１との間に設けられるため、互いに摺動することを防ぐことが可能になる。またさらに、梱包箱１の中においての被梱包物１８の空間的自由度を制限することが可能になり、安定度を増すことが可能になる。
【００２３】
ここで、切り込み１９について詳述する。先ず、上述のように緩衝部材３１を設けることによって、梱包箱１と被梱包物１８との間に隙間３２が生じることになる。そして、底面部４の長辺部６に連接する長辺側壁部８、すなわち外フラップ３に連接する長辺側壁部８が最も外力から弱い面となる。これは以下の理由による。底面部４は面１４，１５と面１６，１７とが重なり合って二枚になっている部分が存在するが、長辺側壁部８は一枚しかない。また、内フラップ４に連接する短辺側壁部１３より外フラップ３に連接する側面の方が面積は広い。
【００２４】
そこで、長辺側壁部８における衝撃耐性を強化するために内フラップ４に切り込み１９を設ける。この切り込み１９の始点２３は、内フラップ１９の辺ｋ上であり、且つ、被梱包物１８の側面３３とこの側面３３に隣接して対向する長辺側壁部８との距離３４より短い距離を側端部である辺ｍから設けたところに設ける。言い換えると、折り曲げ部２６が梱包箱１の内側に折り曲げることが可能、すなわち、隙間３２の中に折り曲げることが可能なように切り込み１９を設ける。また、折り目２５の一端は、切り込み１９の終点２４に限定する必要はなく、例えば、中間点２７に一端を設けてもよい。ただし、折り目２５は、緩衝部材３１が直下に設けられている領域では折り曲げることが出来ないため、必然的に緩衝部材３１が直下に設けられていない領域となる。したがって、切り込み１９の長さも、直下に緩衝部材３１が設けられている領域と設けられていない領域の境界部分までで十分となる。
【００２５】
以上のような構成によると、長辺側壁部８の内側方向に対して、折り曲げ部２６が垂直に設けられ、この折り曲げ部２６は内フラップ４に連接しているため、この連接部分のねじれ剛性によって上記内側方向に対して衝撃耐性が高められる。したがって、折り曲げ部２６の側端辺ｍに対向する辺（切り込み１９）が、折り曲げられた状態において被梱包物１８に接触していなくてもよい。
【００２６】
また、上記と同種の効果を奏する方法として、緩衝部材３１を長手方向の中心部に向けて延長して設けるという方法も考えられるが、この方法と比較して本発明は、部材を大きくする必要がないため、資材コストや重量の増加をもたらすことがない。またさらに、隙間３２の空間を確保したままであるため、この隙間３２に被梱包物１８の付属品、例えば被梱包物１８がテレビである場合、このテレビのリモコンなどを隙間３２に収納することが可能になる。
【００２７】
その他本発明は上記の実施形態に限定されず、本発明の趣旨を逸脱しない範囲で、種々の変更が可能である。
【図面の簡単な説明】
【００２８】
【図１】図１（ａ）および図１（ｂ）は本実施形態における梱包箱を示す斜視透過図である。
【図２】本実施形態における梱包箱の展開図である。
【図３】本実施形態における被梱包物と緩衝部材との外観を示す斜視図である。
【図４】本実施形態における主要部の上面視平面図である。
【図５】図４におけるＡ方向からの側面透過図である。
【図６】図４におけるＢ方向からの側面透過図である。
【図７】本発明における従来例の梱包構造を示す平面断面図である。
【符号の説明】
【００２９】
１    梱包箱
２    外フラップ
３    外フラップ
４    内フラップ
５    内フラップ
１８  被梱包物
１９  切り込み
２５  折り目
２６  折り曲げ部
３１  緩衝部材
３２  隙間
【図１】
2008213887.tif 000003
【図２】
2008213887.tif 000004
【図３】
2008213887.tif 000005
【図４】
2008213887.tif 000006
【図５】
2008213887.tif 000007
【図６】
2008213887.tif 000008
【図７】
2008213887.tif 000009